(57)【要約】　　　（修正有）【課題】従来からあるサイズ調整機能やベルト状の生地によるハーネスである特徴はそのままに、着脱操作が容易で、背面連結具によりリードやジョイントの着脱が可能なハーネス独立型であり、また身体に触りのない連結具と固定金具のみで、ほどんどベルト生地だけによる構成で装着感を損なわずフィット感がある、新たな発想によるハーネスと通常連結に必要とされる連結フック無しで丸い連結具のみで取付けられる新たな発想のリードであることを最も主要な特徴とする。【解決手段】身体のフィット感を考えて余分な金具は使用せず、差込みストッパーのワンタッチによる容易な着脱操作と身体サイズに合わせた調整機能を持ち、２つの組み合わされたブロッチェン（丸）型のハーネスと、通常連結に必要とされる連結フック無しで丸い連結具のみで取付けられるリードである点である。【選択図】　　図１
0003098521.tif 000002
【実用新案登録請求の範囲】
【請求項１】
ベルト用皮革かテープ状の生地による素材であって、ハーネスベルト（７）の右側面部となる部分に調整バックル（８）を取付けて止具（９、１０など）により接合し、ハーネスベルト（７）に連結金具（１７）を通しながら固定金具（１８、１９）を通してゆき、左側面部には差込ストッパー（１１、１２）を取付け止具（１３、１４、１５、１６）により接合し、２つの組み合わされたブロッチェン（丸）型として形成されたブロッチェンハーネスリード。
【請求項２】
ベルト用皮革かテープ状の生地による素材であって、リードベルト（２０）の片方先端を連結具（２１）を取付け折返し、止具（２２、２３、２４、２８、２９、３０）により接合し、残りの片方は持ち手とし、先端を大きく折返して止具（２５、２６、２７、３１、３２、３３）により接合し、連結フック無しで丸い連結具のみで取付けられるリードとして形成されたブロッチェンハーネスリード。
【考案の詳細な説明】
【０００１】
【考案の属する技術分野】
本考案は、着脱が容易で身体サイズに合わせて調整可能なブロッチェンハーネスリードに関するものである。
【０００２】
【従来の技術】
現在、ハーネスはリードと一体型のものやリードやジョイントの着脱が可能なハーネス独立型のものなどがあるが、どのような形態のものにおいても、前肢を軸にして前胴回り部分（前肢のすぐ前）と後胴回り部分（前肢のすぐ後ろ）の各パーツのベルトに分けてカットしたベルト状の生地を用意し、金具などにより一つのハーネスに形成されている。また中には身体サイズ調整機能を持ち合わせているものもある。
【考案が解決しようとする課題】
従来からあるサイズ調整機能やベルト状の生地によるハーネスである特徴はそのままに、着脱操作が容易で、背面連結具によりリードやジョイントの着脱が可能なハーネス独立型であり、また身体に触りのない連結具と固定金具のみで、ほどんどベルト生地だけによる構成で装着感を損なわないのでフィット感があり、新たな発想によるハーネスと通常連結に必要とされる連結フック無しで丸い連結具のみで取付けられる新たな発想のリードであるという点である。
【０００３】
【課題を解決するための手段】
本考案は、身体のフィット感を考えて余分な金具は使用せず、差込みストッパーのワンタッチによる容易な着脱操作と身体サイズに合わせた調整機能を持ち、２つの組み合わされたブロッチェン（丸）型のハーネスと、通常連結に必要とされる連結フック無しで丸い連結具のみで取付けられるリードであることを特徴とする。
【０００４】
【考案の実施の形態】
簡易な着脱操作で従来の機能を生かした新たな発想と形状のハーネスとそのリードであるという目的を、ベルト用皮革もしくはテープ状の生地と金具部品及びプラスティック素材で実現した。
【０００５】
【実施例】
図１はブロッチェンハーネス＆リードの正面図で、図２は背面図である。また図３〜８はブロッチェンハーネスのみをそれぞれの角度より示したもので、図９〜１１はリードのみを示したものである。
【０００６】
ハーネスＡにおいては、ベルト用皮革もしくはテープ状の生地を使用し、幅、厚み、長さは装着対象のサイズに準ずるものとする。生地はそれぞれハーネスＡとなるハーネスベルト７とリードベルト２０のパーツにカットし、ハーネスベルト７の右側面部となる部分に調整バックルを止具９、１０などによって取付け、連結具１７を通し、そのあと１８、１９の固定金具を通してゆき、左側面部には差込ストッパー１１、１２を止具１３、１４、１５、１６によって取付け、ブロッチェンハーネスが形成される。
【０００７】
リードＢにおいては、リードベルト２０の片側先端を連結具２１を通して折返し、止具２２、２３、２４、２８、２９、３０の止具で取付け、さらに片側は持ち手とし、先端を下り返し２５、２６、２７、３１、３２、３３の止具で取付けリードが形成される。
【０００８】
ハーネスＡの連結具１０においては、ハーネスを使用時にリード金具を引っ掛けるために必要なものであるので、背当てベルト９を取付ける際にベルトに通して取付けておかなければならない。さらに連結具は丸金具でボディに触れる場所に位置していないのでフィット感を損なうことはなく、もし万が一身体に触れた場合でも金具の丸みが身体の動きに合わせて自由な動きをするため、摩擦を和らげ違和感もなくフィット感を損なう心配が無い。
【０００９】
ハーネスＡの固定金具１８、１９においては、ハーネス全体を微調整したり、ハーネスの形状を保つためと着装崩れ防止の固定として必要で、身体に邪魔にならない場所に位置するのでフィット感を損なうことはない。
【００１０】
図１２においてはイヌによる装着参考例で右斜め前方より見た状態である。
【００１１】
【考案の効果】
本考案は上述の通り構成されているので、次にあげる効果を奏する。
【００１２】
身体のフィット感を考えて余分な金具は使用しないので装着感を損なわずフィット感があり、着脱操作が容易で体に通せば後は差込みストッパーがワンタッチで操作を行うことができ、しかも身体サイズの違いに合わせて調整可能な機能を持ち、２つの組み合わされたブロッチェン（丸）型のハーネスと、通常連結に必要とされる連結フック無しで丸い連結具のみで取付けられるリードである。
【図面の簡単な説明】
【図１】ブロッチェンハーネスリードの右側面部である。
【図２】ブロッチェンハーネスリードの左側面部である。
【図３】ブロッチェンハーネスのみの正面部である。
【図４】ブロッチェンハーネスのみの背面部である。
【図５】ブロッチェンハーネスのみの右側面部である。
【図６】ブロッチェンハーネスのみの左側面部である。
【図７】ブロッチェンハーネスのみの上面部である。
【図８】ブロッチェンハーネスのみの底面部である。
【図９】リードのみの上面部である。
【図１０】リードのみの底面部である。
【図１１】リードのみの側面部である。
【図１２】ブロッチェンハーネスリードの装着状態の実施例を示す斜視図である。
【符号の説明】
Ａ　ハーネス
Ｂ　リード
１　上面部
２　底面部
３　右側面部
４　左側面部
５　前面部
６　背面部
７　ハーネスベルト
８　調整バッククル
９、１０、１３、１４、１５、１６
１１、１２　差込ストッパー
１７、２１　連結具
１８、１９　固定金具
２０　リードベルト
【図１】
0003098521.tif 000003
【図２】
0003098521.tif 000004
【図３】
0003098521.tif 000005
【図４】
0003098521.tif 000006
【図５】
0003098521.tif 000007
【図６】
0003098521.tif 000008
【図７】
0003098521.tif 000009
【図８】
0003098521.tif 000010
【図９】
0003098521.tif 000011
【図１０】
0003098521.tif 000012
【図１１】
0003098521.tif 000013
【図１２】
0003098521.tif 000014
【手続補正書】
【提出日】平成15年7月17日(2003.7.17)
【手続補正１】
【補正対象書類名】明細書
【補正対象項目名】００１０
【補正方法】変更
【補正の内容】
【００１０】
図１２においてはイヌによる装着参考例で、別付けのリードをセットして右斜め前方より見た状態である。
また１７の連結具においては、リードを外してハーネスだけの状態になると、金具が自然と体に添い平らなるので見栄えを損なわない。




【手続補正書】
【提出日】平成15年7月24日(2003.7.24)
【手続補正１】
【補正対象書類名】明細書
【補正対象項目名】００１０
【補正方法】変更
【補正の内容】
【００１０】
図１２においてはイヌによる装着参考例で右斜め前方より見た状態である。
また１７の連結具においては、リードを外してハーネスだけの状態になると、金具が自然と体に添い平らなるので見栄えを損なわない。